【手続補正書】
【提出日】平成20年9月19日(2008.9.19)
【手続補正１】
【補正対象書類名】特許請求の範囲
【補正対象項目名】全文
【補正方法】変更
【補正の内容】
【特許請求の範囲】
【請求項１】
身体構造の近傍の組織又は筋壁の欠損を修復するための埋植可能なプロテーゼであって、
前記組織又は筋壁の欠損の少なくとも一部を被覆するように構成及び配置されている本体部分を含む修復布帛のパッチと、
前記パッチの前記本体部分をほぼ取り囲む部材と、を備え、
前記部材は、離間して中断部を形成する第１の端部及び第２の端部を含み、
前記部材は、当該部材の一部に沿って延在する湾入部であって、前記身体構造に隣接して位置決めされるように構成されている湾入部を更に含む、埋植可能なプロテーゼ。
【請求項２】
身体構造の近傍の組織又は筋壁の欠損を修復するための埋植可能なプロテーゼであって、
前記組織又は筋壁の欠損の少なくとも一部を被覆するように構成及び配置されている本体部分を含む修復布帛のパッチであって、長軸と短軸を有する非円形の形状を有するパッチ、及び
前記パッチの本体部分を実質的に取り囲む部材を備え、
前記部材は、当該部材の一部に沿って延び、前記身体構造に隣接して位置決めされるように構成されている湾入部を含み、
前記湾入部は、前記パッチの短軸からオフセットしている、埋植可能なプロテーゼ。
【請求項３】
身体構造の近傍の組織又は筋壁の欠損を修復するための埋植可能なプロテーゼであって、
前記組織又は筋壁の欠損の少なくとも一部を被覆するように構成及び配置されている本体部分を含む修復布帛のパッチと、
前記パッチの本体部分を実質的に取り囲む部材と、を備え、
前記部材は、当該部材の一部に沿って延びていて、前記身体構造に隣接して位置決めされるように構成されている単一の湾入部を含む、埋植可能なプロテーゼ。
【請求項４】
前記部材が、離間して中断部を形成する第１の端部と第２の端部を含む、請求項２又は３に記載の埋植可能なプロテーゼ。
【請求項５】
前記修復布帛並びに前記部材の第１及び第２の端部の少なくとも１つは、前記第１及び第２の端部が前記修復布帛を貫通して突出することを防止するように、構成及び配置されている、請求項１又は４に記載の埋植可能なプロテーゼ。
【請求項６】
前記中断部が前記湾入部から離間している、請求項１、４、５の何れか一項に記載の埋植可能なプロテーゼ。
【請求項７】
前記湾入部が湾曲した形状を有する、請求項１乃至６の何れか一項に記載の埋植可能なプロテーゼ。
【請求項８】
前記部材がそのかなりの部分に沿って凸状の形状を有し、前記湾入部が凹状の形状を有する、請求項７に記載の埋植可能なプロテーゼ。
【請求項９】
前記パッチが、長軸と短軸を有する非円形の形状を有し、前記湾入部が短軸からオフセットしている、請求項１又は４に記載の埋植可能なプロテーゼ。
【請求項１０】
前記中断部が前記長軸に沿って位置している、請求項９に記載の埋植可能なプロテーゼ。
【請求項１１】
前記パッチが長円形の形状を有する、請求項９又は１０に記載の埋植可能なプロテーゼ。
【請求項１２】
前記パッチが鈍形の端部と鋭形の端部を含み、前記鈍形の端部が前記鋭形の端部より大きい、請求項１１に記載の埋植可能なプロテーゼ。
【請求項１３】
前記湾入部が、前記短軸から前記鋭形の端部の方にオフセットしている、請求項１２に記載の埋植可能なプロテーゼ。
【請求項１４】
前記中断部が、前記鋭形の端部に前記長軸に沿って位置している、請求項１３に記載の埋植可能なプロテーゼ。
【請求項１５】
前記中断部が前記長軸を中心に配置されている、請求項９乃至１４の何れか一項に記載の埋植可能なプロテーゼ。
【請求項１６】
前記本体部分が、広がった形状で前記組織又は筋壁の欠損の少なくとも一部を被覆するように構成及び配置されている、請求項１乃至１５の何れか一項に記載の埋植可能なプロテーゼ。
【請求項１７】
前記部材が、前記本体部分を広がった形状に配備及び／又は保持することを助けるように構成及び配置されている、請求項１６に記載の埋植可能なプロテーゼ。
【請求項１８】
前記部材は、前記部材が初期形状から変形し、その後、当該初期形状に戻って前記パッチの本体部分を前記広がった形状に戻すことを可能にする弾性を有する、請求項１６又は１７に記載の埋植可能なプロテーゼ。
【請求項１９】
前記修復布帛が第１の層と第２の層を含み、前記部材が前記第１の層と第２の層の間に配置されている、請求項１乃至１８の何れか一項に記載の埋植可能なプロテーゼ。
【請求項２０】
前記部材が、前記第１の層を前記第２の層に接合させる内側継ぎ目と外側継ぎ目によって画定されるチャネル内に配置されている、請求項１９に記載の埋植可能なプロテーゼ。
【請求項２１】
前記第１の層が第１の形状を有し、前記第２の層が前記第１の形状とは異なる第２の形状を有する、請求項１９又は２０に記載の埋植可能なプロテーゼ。
【請求項２２】
前記第２の層が略環状の形状を有する、請求項２１に記載の埋植可能なプロテーゼ。
【請求項２３】
前記第２の層が、前記部材の形状に従う内縁を含む、請求項２２に記載の埋植可能なプロテーゼ。
【請求項２４】
前記修復布帛は、組織及び器官との接着を形成しやすい、請求項１乃至２３の何れか一項に記載の埋植可能なプロテーゼ。
【請求項２５】
前記修復布帛が、組織の内方成長を可能にするように構成及び配置されている複数の間隙を有する、請求項１乃至２４の何れか一項に記載の埋植可能なプロテーゼ。
【請求項２６】
前記修復布帛が少なくとも１層のメッシュ布帛を含む、請求項１乃至２５の何れか一項に記載の埋植可能なプロテーゼ。
【請求項２７】
前記部材がモノフィラメントを含む、請求項１乃至２６の何れか一項に記載の埋植可能なプロテーゼ。
【請求項２８】
組織又は筋壁の欠損を修復するための埋植可能なプロテーゼであって、
前記組織又は筋壁の欠損の少なくとも一部を被覆するように構成及び配置されている本体部分を含む修復布帛のパッチと、
前記パッチの本体部分を実質的に取り囲む部材であって、離間して中断部を形成する第１の端部と第２の端部を含む部材と、を備え、
前記修復布帛並びに前記部材の第１及び第２の端部の少なくとも１つは、前記第１及び第２の端部が前記修復布帛を貫通して突出することを防止するように構成及び配置されている、埋植可能なプロテーゼ。
【請求項２９】
前記部材の第１及び第２の端部がそれぞれ、前記修復布帛を貫通して突出することを防止するように構成及び配置されている拡大された頭部を含む、請求項５又は２８に記載の埋植可能なプロテーゼ。
【請求項３０】
前記部材の第１及び第２の端部がそれぞれ、ループ状の頭部を含む、請求項２９に記載の埋植可能なプロテーゼ。
【請求項３１】
前記第１及び第２の端部がそれぞれ、前記修復布帛に対して移動しないように拘束されている、請求項５、２８，２９，３０の何れか一項に記載の埋植可能なプロテーゼ。
【請求項３２】
前記第１及び第２の端部がそれぞれ、前記修復布帛に留め付けられている、請求項３１に記載の埋植可能なプロテーゼ。
【請求項３３】
前記第１及び第２の端部がそれぞれ、前記修復布帛に留め付けられているループ状の頭部を含む、請求項３１又は３２に記載の埋植可能なプロテーゼ。
【請求項３４】
前記修復布帛は、前記部材の第１及び第２の端部に隣接するところが補強されている、請求項２８乃至３３の何れか一項に記載の埋植可能なプロテーゼ。
【請求項３５】
前記部材の第１及び第２の端部の上に重なる第１の補強層と第２の補強層を更に備える、請求項３４に記載の埋植可能なプロテーゼ。
【請求項３６】
前記第１の補強層と第２の補強層が、前記修復布帛の反対側の表面の一部に配置されている、請求項３５に記載の埋植可能なプロテーゼ。
【請求項３７】
前記修復布帛が第１の層と第２の層を含み、前記第１及び第２の補強層が前記修復布帛の第１及び第２の層の一部に配置されている、請求項３５又は３６に記載の埋植可能なプロテーゼ。
【請求項３８】
前記部材が前記第１の層と前記第２の層の間に配置されている、請求項３７に記載の埋植可能なプロテーゼ。
【請求項３９】
前記補強層並びに前記第１及び第２の層が、前記第１及び第２の端部のそれぞれの周囲に延びる継ぎ目で互いに取り付けられている、請求項３８に記載の埋植可能なプロテーゼ。
【請求項４０】
前記補強層並びに前記第１及び第２の層がそれぞれ、メッシュ布帛を含む、請求項３７乃至３９の何れか一項に記載の埋植可能なプロテーゼ。
【請求項４１】
前記本体部分が、広がった形状で前記組織又は筋壁の欠損の少なくとも一部を被覆するように構成及び配置されている、請求項２８乃至４０の何れか一項に記載の埋植可能なプロテーゼ。
【請求項４２】
前記部材が、前記本体部分を広がった形状に配備及び／又は保持することを助けるように構成及び配置されている、請求項４１に記載の埋植可能なプロテーゼ。
【請求項４３】
前記部材は、前記部材が初期形状から変形し、その後、初期形状に戻って前記パッチの本体部分を前記広がった形状に戻すことを可能にする弾性を有する、請求項４１又は４２に記載の埋植可能なプロテーゼ。
【請求項４４】
前記部材は、その一部に沿って湾入部を含み、湾入部は、前記パッチが前記組織又は筋壁の欠損を覆って配置されるとき、身体構造が入るように構成及び配置されている、請求項２８乃至４３の何れか一項に記載の埋植可能なプロテーゼ。
【請求項４５】
前記部材がそのかなりの部分に沿って凸状の形状を有し、前記湾入部が凹状の形状を有する、請求項４４に記載の埋植可能なプロテーゼ。
【請求項４６】
前記中断部が前記湾入部から離間している、請求項４４又は４５に記載の埋植可能なプロテーゼ。
【請求項４７】
精索及び大腿管の近傍の鼠径ヘルニアを修復するための埋植可能なプロテーゼであって、
広がった形状で前記鼠径ヘルニアの少なくとも一部を被覆するように構成及び配置されている本体部分を含む修復布帛のパッチと、
前記パッチの本体部分を実質的に取り囲み、前記本体部分を前記広がった形状に配備及び／又は保持することを助けるリング状部材と、を備え、
前記リング状部材は、前記精索が通り前記本体部分の内部領域に入ることを可能にするように構成及び配置されている中断部を含み、
前記リング状部材は、前記本体部分が前記鼠径ヘルニアを被覆しているとき、前記大腿管が入るように構成及び配置されている湾入部を更に含み、
前記中断部が、前記パッチの領域で、前記湾入部から離間して配置されている、埋植可能なプロテーゼ。
【請求項４８】
前記パッチが外周縁を含み、前記湾入部が前記外周縁の一部に沿って配置されている、請求項４７に記載の埋植可能なプロテーゼ。
【請求項４９】
前記パッチが、長軸と短軸を有する長円形の形状を有し、前記パッチが鈍形の端部と、前記鈍形の端部より小さい鋭形の端部を含み、
前記湾入部が、前記長軸及び前記短軸から前記鋭形の端部の方にオフセットしている、請求項４７又は４８に記載の埋植可能なプロテーゼ。
【請求項５０】
前記中断部が前記鋭形の端部に配置されている、請求項４９に記載の埋植可能なプロテーゼ。
【請求項５１】
前記中断部が前記長軸を中心に配置されている、請求項４９又は５０に記載の埋植可能なプロテーゼ。
【請求項５２】
前記リング状部材が、そのかなりの部分に沿って凸状の形状を有し、前記湾入部が凹状の形状を有する、請求項４７乃至５１の何れか一項に記載の埋植可能なプロテーゼ。
【請求項５３】
前記修復布帛が、内側継ぎ目と外側継ぎ目によって互いに取り付けられている第１の層と第２の層を含み、
前記リング状部材が、前記第１の層と第２の層の間で、前記内側及び外側継ぎ目によって画定されるチャネル内に配置されている、請求項４７乃至５２の何れか一項に記載の埋植可能なプロテーゼ。
【請求項５４】
前記第１及び第２の層の１つが、前記リング状部材の形状に従う内縁を有する略環状の形状を有する、請求項５３に記載の埋植可能なプロテーゼ。
【請求項５５】
前記パッチが、前記中断部の上に重なる前記第１及び第２の層の一部に配置されている第１及び第２の補強層を更に含む、請求項５３又は５４に記載の埋植可能なプロテーゼ。
【請求項５６】
前記リング状部材の前記第１及び第２の端部がそれぞれ、その移動を拘束するように前記修復布帛に留め付けられているループを含む、請求項４７乃至５５の何れか一項に記載の埋植可能なプロテーゼ。